(57)【要約】  おねばの吹きこぼれが抑制される炊飯器を得ることを目的とする。内釜を収容する内釜収容部及び内釜を加熱する加熱手段を有する本体と、本体にヒンジ結合されて本体の内釜収容部の上部を覆う蓋体と、を備えた炊飯器であって、蓋体は、閉じられた状態で、本体との間に隙間が形成され、内釜が本体に収容された状態で、本体から内釜の側壁外面に当接するリップ部を有するシール部材と、シール部材を保持する保持リングと、本体の一部を構成する内ケースと、を備える。内ケースは、内釜収容部の開口部を構成し、保持リングは、内ケースの下部に位置し、内釜収容部の内部において上下方向の位置が保持され、シール部材は、保持リングと内ケースとの間で保持される。
2017145414.tif 000002
【特許請求の範囲】
【請求項１】
内釜を収容する内釜収容部及び前記内釜を加熱する加熱手段を有する本体と、前記本体にヒンジ結合されて該本体の前記内釜収容部の上部を覆う蓋体と、を備える炊飯器であって、
前記内釜が前記本体に収容された状態で、前記本体から前記内釜の側壁外面に当接するリップ部を有するシール部材と、
該シール部材を保持する保持リングと、
前記本体の一部を構成する内ケースと、を備え、
前記蓋体は、
閉じられた状態で、前記本体との間に隙間が形成され、
前記内ケースは、
前記内釜収容部の開口部を構成し、
前記保持リングは、
前記内ケースの下部に位置し、前記内釜収容部の内部において上下方向の位置が保持され、
前記シール部材は、
前記保持リングと前記内ケースとの間で保持される、炊飯器。
【請求項２】
前記シール部材は、
前記リップ部から外側に張り出し、かつ前記保持リングに嵌め込まれる張り出し部と、
前記リップ部と前記張り出し部との間をつなぐ被支持部と、を備え、
前記保持リングは、
当該保持リングの全周の上面側に前記張り出し部が収容される凹部と、
該凹部の内側の壁を構成する内側リブと、を備え、
前記内側リブと前記内ケースとは、
前記本体における上下方向に距離を持って配置され、
前記距離は、
前記張り出し部の上下方向の寸法よりも小さく、前記被支持部の上下方向の寸法以上である、請求項１に記載の炊飯器。
【請求項３】
前記リップ部は、
薄い板状で、前記内釜収容部の内側に向かって延びており、
前記内釜収容部の前記開口部から前記内釜の挿入方向に傾斜している、請求項２に記載の炊飯器。
【請求項４】
前記保持リングの前記凹部は、
内部の上方向に向けて延びる突起部を備え、
前記シール部材の前記張り出し部は、
下面に開口する溝部を備え、
前記突起部は、
前記溝部に挿入される、請求項２又は３に記載の炊飯器。
【請求項５】
前記内釜収容部は、
加熱装置で発生した熱を前記内釜収容部の内側にむけて放熱する放熱板を備え、
前記放熱板は、
前記内釜収容部の内部側壁部を構成し、
前記保持リングの下部に設けられている、請求項１〜４の何れか１項に記載の炊飯器。
【請求項６】
前記内釜の前記側壁外面は、前記内釜収容部より上方へ突出している、請求項１〜５の何れか１項に記載の炊飯器。
【請求項７】
前記内釜は、最上部に径方向外向きに延出されるフランジを有し、
前記本体は、前記内釜収容部の縁にて上方に突出して前記フランジを支持する複数の支持体を有する、請求項１〜６の何れか１項に記載の炊飯器。
【請求項８】
前記内釜の最大炊飯量時の最大水位線が、前記内釜の前記側壁外面に当接する前記シール部材よりも下方に位置する、請求項１〜７の何れか１項に記載の炊飯器。
【請求項９】
前記リップ部の先端付近の下面には、複数の突起が形成された、請求項１〜８の何れか１項に記載の炊飯器。
【請求項１０】
前記リップ部は、表面に凹凸を有する、請求項１〜９の何れか１項に記載の炊飯器。
【請求項１１】
前記内釜の外面は、表面に凹凸を有する、請求項１〜１０の何れか１項に記載の炊飯器。
【請求項１２】
前記リップ部には、複数のスリットが形成された、請求項１〜１１の何れか１項に記載の炊飯器。
【請求項１３】
前記スリットが形成されて分断された前記リップ部は、隣り合う分断された前記リップ部と上下方向にずれて配置された、請求項１２に記載の炊飯器。
【発明の詳細な説明】
【技術分野】
【０００１】
本発明は、おねばの吹きこぼれを抑制する炊飯器に関する。
【背景技術】
【０００２】
従来、炊飯器は、炊飯時に炊飯器内の蒸気を外部に放出させるおねば分離ケースを備えている（たとえば、特許文献１参照）。おねば分離ケースは、上面が開口して弁機構を有する蒸気口ケースと、蒸気口ケースの上面開口部に設けた蒸気口カバーと、で構成され、蒸気口カバーの上面には、弁機構の真上の位置からその側方に変位した部分に蒸気排出孔が形成されている。【０００３】
おねば分離ケース内部には、いくつかの障壁が設けられている。この障壁によっておねば分離ケース内部に流入する蒸気またはおねばの勢いが弱められ、蒸気排出孔からおねばが噴出することを防ぎ、蒸気のみが炊飯器の外へ排出される構造となっている。
【先行技術文献】
【特許文献】
【０００４】
【特許文献１】特許第３５４９４５７号公報
【発明の概要】
【発明が解決しようとする課題】
【０００５】
しかしながら、特許文献１に開示された技術の場合には、蒸気流入口から蒸気排出孔までの流路を長く確保することが必要だった。そして、おいしいご飯を炊き上げるために投入電力を大きくした場合には、更に長く流路を確保する必要があった。
このため、製品本体に対してのおねば分離ケースが占める体積の割合は大きくなってしまい、デザイン的制約が大きかった。一方、おねば分離ケースを小さく構成した場合には、電力を間欠的に出力するなどのおいしさとは相反する制御をせざるを得なかった。【０００６】
本発明は、上記課題を解決するためのものであり、おねばの吹きこぼれが抑制される炊飯器を得ることを目的とする。
【課題を解決するための手段】
【０００７】
本発明に係る炊飯器は、内釜を収容する内釜収容部及び前記内釜を加熱する加熱手段を有する本体と、前記本体にヒンジ結合されて該本体の前記内釜収容部の上部を覆う蓋体と、を備える炊飯器であって、前記内釜が前記本体に収容された状態で、前記本体から前記内釜の側壁外面に当接するリップ部を有するシール部材と、該シール部材を保持する保持リングと、前記本体の一部を構成する内ケースと、を備え、前記蓋体は、閉じられた状態で、前記本体との間に隙間が形成され、前記内ケースは、前記内釜収容部の開口部を構成し、前記保持リングは、前記内ケースの下部に位置し、前記内釜収容部の内部において上下方向の位置が保持され、前記シール部材は、前記保持リングと前記内ケースとの間で保持されるものである。
【発明の効果】
【０００８】
本発明に係る炊飯器によれば、内釜が本体に収容された状態で、本体から内釜の側壁外面に当接するシール部材を備え、蓋体を閉じた状態で、蓋体と本体の間に隙間が形成されている。この構成により、本体に収容され、蓋体を閉じた状態でシール部材と当接する箇所から上方の内釜の側壁外面が外気に触れる。また、シール部材によって内釜の下方で発生した熱が上方へ逃げることを抑制する。このため、シール部材と当接する箇所から上方の内釜の側壁を外気によって冷却することができ、加熱中に湧き上がったおねばの泡が内釜の上部の側壁内側に接触すると、おねばの泡が冷却され、内釜の下部に戻されるため、おねばの吹きこぼれを抑制することができる。さらに、シール部材を保持する保持リングを備え、シール部材を保持リングと内ケースとの間に配置することにより、着脱自在に設けられている内釜の着脱持にシール部材が変形したり、外れたりすることが無い。また、炊飯器の組み立て時においても、シール部材が変形することなく、組み立てが容易であり、作業にかかる時間を減少させ、製品の品質も確保できる。
【図面の簡単な説明】
【０００９】
【図１】本発明の実施の形態１に係る炊飯器を示す斜視図である。
【図２】本発明の実施の形態１に係る炊飯器を示す図１のＡ−Ａ断面の説明図である。
【図３】本発明の実施の形態１に係る炊飯器を示す図１のＢ−Ｂ断面の説明図である。
【図４】本発明の実施の形態１に係る炊飯器の図２のＥ部を示す拡大図である。
【図５】本発明の実施の形態１に係る炊飯器の図３のＦ部を示す拡大図である。
【図６】本発明の実施の形態１に係るシール部材及び保持リングを組み合わせた状態の斜視図である。
【図７】図６のＣ−Ｃ断面を示す拡大図である。
【図８】本発明の実施の形態１に係るシール部材の斜視図である。
【図９】図８のＤ−Ｄ断面を示す拡大図である。
【図１０】本発明の実施の形態２に係るシール部材を示す斜視図である。
【図１１】本発明の実施の形態３に係るシール部材を示す斜視図である。
【発明を実施するための形態】
【００１０】
以下に、本発明に係る炊飯器の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１１】
実施の形態１．
図１は、本発明の実施の形態１に係る炊飯器１００を示す斜視図である。図２は、本発明の実施の形態１に係る炊飯器１００を示す図１のＡ−Ａ断面の説明図である。図３は、本発明の実施の形態１に係る炊飯器１００を示す図１のＢ−Ｂ断面の説明図である。
【００１２】
＜炊飯器１００の全体構造＞
図１〜３に示されるように、本発明の実施の形態１に係る炊飯器１００は、本体１を備える。本体１の上部には、内釜収容部１５の上部開口部が形成されている。上部開口部は、本体１にヒンジ２で軸連結された本体１の内釜収容部１５の上部を覆う蓋体３によって開閉される。
【００１３】
＜蓋体３の構造＞
蓋体３は、図示しないヒンジばねにて常時上部開口部を開放する開方向に付勢されている。また、蓋体３は、図示しないラッチとラッチ解除ボタン４とによって、開閉される。
【００１４】
蓋体３の下面には、内蓋５が着脱可能に設けられている。内蓋５は、内釜６の開口部をシールする環状のパッキン７を固定した固定枠８に固定される。
【００１５】
蓋体３と内蓋５との間には、内蓋５側の表面を図示しない金属板で覆われたヒータ９が設けられている。ヒータ９は、給電されると抵抗加熱で発熱する。ヒータ９は、蓋体３に這わせた線状のヒータである。
【００１６】
蓋体３の内蓋５よりも上側には、蒸気に混入するおねばを分離するおねば分離ケース１０が取り付けられている。おねば分離ケース１０には、案内筒１１及び開閉弁１２が設けられている。案内筒１１の下端部の図示しない蒸気孔から流入した蒸気は、蓋体３のおねば分離ケース１０を経て、蓋体３上部の蒸気排出孔１３から外部に放出される。加熱が停止して内釜６の内圧が低下して開閉弁１２が開弁すると、おねばが内釜６に戻される。
おねば分離ケース１０は、炊飯中に発生する蒸気とおねばとを分離し、蒸気を蒸気排出孔１３に導くと共に、おねばを内釜６に戻す機能を有する。
【００１７】
また、蓋体３には、温度センサ１４が設置されている。温度センサ１４は、ヒータ９とおねば分離ケース１０との間に配置されている。
【００１８】
＜内釜６及び内釜収容部１５＞
炊飯器１００は、本体１内にコイル台となる内釜収容部１５を備え、内釜収容部１５には、水、米などが入れられる有底筒状の内釜６が着脱自在に収容される。内釜６は、ＳＵＳ製である。内釜６は、内釜収容部１５の下面の中心部の周りとその外周のコーナー部に配置された加熱手段としての電磁誘導コイル１６により加熱されて炊飯される。
【００１９】
内釜６の外面は、例えばブラスト加工等の表面に凹凸を設ける加工又は塗装等により凹凸が形成される。
【００２０】
内釜６は、蓋体３の閉時に、内蓋５側に設けたパッキン７がフランジ６ａの上面に押圧されることによって密閉される。
【００２１】
また、内釜収容部１５には、底部中央に、貫通穴１７が形成される。貫通穴１７には、内釜温度センサ１８が出没自在に設置されている。
【００２２】
内釜収容部１５は、開口部を構成する内ケース３３を備える。内ケース３３は、炊飯器１００の本体１の上面を構成し、その上面は、内釜６を支持する支持体１９を上方に突出させて備える。
【００２３】
＜内釜６の支持構造＞
次に、内釜６の支持構造について説明する。
内釜６は、最上部に径方向外向きに延出されたフランジ６ａが形成される。図５に示すように、フランジ６ａは、内釜収容部１５への収容時に、本体１の内釜収容部１５の上部開口部の縁にて上方に突出した複数の支持体１９に載置されて支持される。複数の支持体１９は、上部開口部の縁に周方向に点在して設置されている。このため、内釜６は、複数の支持体１９に支持されることにより、内釜収容部１５に収容された状態で、上部が内釜収容部１５から突出している。このため、炊飯器１００内には、本体１と、蓋体３と、内釜６とに囲まれた内部空間３０が形成されている。
【００２４】
本体１と蓋体３との間には隙間３１が形成され、内部空間３０は隙間３１を介して炊飯器１００の外に広がる外部空間３２と通ずる。このため、本体１の内釜収容部１５から突出している内釜６の上部は、蓋体３の閉時に、内釜６の側壁上部６ｂの外側が本体１と蓋体３との間の隙間３１から流入する外気に触れる。特に、図５に示すように、内釜６は、複数の支持体１９に支持されない部位では、内釜６の上部が本体１の内釜収容部１５から露出し、内釜６の側壁上部６ｂの外側が本体１と蓋体３との間の隙間３１から流入する外気に直接的に触れる。
【００２５】
＜シール部材２０及び保持リング４０＞
次に、シール部材２０について説明する。
内釜収容部１５には、内釜６が内釜収容部１５に収容された状態で、本体１から内釜６の側壁外面に当接するシール部材２０を備えている。シール部材２０は、シリコンゴムといった耐熱性のある軟質素材の弾性体で形成される。
【００２６】
図４は、本発明の実施の形態１に係る炊飯器１００の図２のＥ部を示す拡大図である。図５は、本発明の実施の形態１に係る炊飯器１００の図３のＦ部を示す拡大図である。図６は、本発明の実施の形態１に係るシール部材２０及び保持リング４０を組み合わせた状態の斜視図である。図７は、図６のＣ−Ｃ断面を示す拡大図である。
図６に示されるように、シール部材２０及び保持リング４０はリング状であり、シール部材２０及び保持リング４０は、内釜収容部１５の側壁に沿って横１周にわたって配置される。
【００２７】
図２及び図３に示されるように、シール部材２０と保持リング４０とを組み合わせた部品は、内釜収容部１５の入口の開口部を形成する内ケース３３の下側に配置されている。また、内ケース３３は、シール部材２０と保持リング４０とを組み合わせた部品を外周部から囲む円筒部３３ａを備える。シール部材２０と保持リング４０とを組み合わせた部品は、その円筒部３３ａの内側に沿って配置されている。シール部材２０のリップ部２０ａは、保持リング４０の内周側の面よりも内側にはみ出しており、炊飯器１００に組み込まれた状態においては内釜収容部１５内にはみ出ているように配置されている。また、シール部材２０は、内釜６の最大炊飯量時の最大水位線２１よりも上方に配置される。すなわち、内釜６の最大炊飯量時の最大水位線２１が、内釜６の側壁外面に当接するシール部材２０よりも下方に位置する。
【００２８】
シール部材２０と保持リング４０とを組み合わせた部品の下部には放熱板３４が配置されている。放熱板３４は、内釜収容部１５の内部側壁部を構成し、加熱装置で発生した熱を拡散し、内釜収容部１５内を熱するためのものである。実施の形態１において、放熱板３４は、板金を円筒形状にして形成されている。筒形状の放熱板３４は、上側の端部と下側の端部とは、板金を丸めるように形成されており、上側の端部及び下側の端部は、円筒形状の半径方向に厚みを持たせている。放熱板３４の上端部は、保持リング４０の直下に配置されている。炊飯器１００の組み立て時には、図２及び図３において内ケース３３の下側からシール部材２０と保持リング４０とを組み合わせた部品を挿入し、その後図２及び図３においてシール部材２０と保持リング４０とを組み合わせた部品の下側から放熱板３４を挿入する。この構造により、放熱板３４は保持リング４０を下方向から支持することができる。
【００２９】
保持リング４０の外周面には、係止突起４０ａが複数箇所設けられている。実施の形態１においては、係止突起４０ａは、保持リング４０の外周面に２つを１セットとして並べて配置されており、２つの係止突起４０ａのセット同士の間隔が均等になるように４箇所に配置されている。係止突起４０ａは、内ケース３３の円筒部３３ａの内側に挿入される。保持リング４０の外周面にある係止突起４０ａは、内ケース３３の円筒部３３ａの内周面に設けられている図示されていない凹みに引っ掛かる。これにより、内ケース３３に対する保持リング４０の上下方向位置が定まる。なお、１セットあたりに設けられている係止突起４０ａの数量及び保持リング４０に係止突起４０ａのセットを何箇所設けるかは上記の形態に限定されない。
【００３０】
図７に示されるように、シール部材２０は、保持リング４０の上側の面に設けられた凹部４０ｂに嵌め込まれている。保持リング４０は、内側リブ４０ｃと外側リブ４０ｅを備える。内側リブ４０ｃは、凹部４０ｂの保持リング４０内周側の壁を構成し、かつ保持リング４０の内周面を構成する。外側リブ４０ｅは、凹部４０ｂの外周側の壁を構成し、かつ保持リング４０の外周面を構成する。つまり、凹部４０ｂは内側リブ４０ｃと外側リブ４０ｅの間に形成されている。また、凹部４０ｂは、凹部４０ｂの底面から上方向に延びる突起部４０ｄを備える。
【００３１】
図８は、本発明の実施の形態１に係るシール部材２０の斜視図である。図９は、図８のＤ−Ｄ断面を示す拡大図である。
図９に示されるように、シール部材２０は、内周端部が下方に垂れ下がるリップ部２０ａを有している。リップ部２０ａは、薄い板状であり、内釜収容部１５の内側に向かって延びている。薄い板状のリップ部２０ａは、内釜収容部１５の開口部から内釜６の挿入方向に向かって傾斜している。このように、リップ部２０ａは、シール部材２０の上端内周部から径方向内向きに下方に垂れ下がる。このため、内釜６が内釜収容部１５に収容されるときに、リップ部２０ａの上面２０ａａが内釜６の外面に当接する。
【００３２】
また、リップ部２０ａに対しシール部材２０の外周側は、張り出し部２０ｂが形成されている。リップ部２０ａと張り出し部２０ｂは、被支持部２０ｃにより繋がれている。被支持部２０ｃは、リップ部２０ａとほぼ同じ厚さの部分であり、張り出し部２０ｂに対して炊飯器１００における上下方向の寸法が小さく形成されている。また、張り出し部２０ｂの下面には、下面から上方向に向かって溝部２０ｄが形成されている。
【００３３】
図７に示されるように、張り出し部２０ｂは、保持リング４０の凹部４０ｂに嵌め込まれている。実施の形態１において、張り出し部２０ｂの上下方向の寸法Ｈ２は、保持リング４０の外側リブ４０ｅの凹部４０ｂ底面からの高さと同じ寸法にされている。また、保持リング４０の内側リブ４０ｃの凹部４０ｂ底面からの高さは、外側リブ４０ｅの高さ寸法から、シール部材２０の被支持部２０ｃの厚みの分だけ低くなっている。シール部材２０の張り出し部２０ｂの下面に設けられた溝部２０ｄには、保持リング４０の突起部４０ｄが挿入される。溝部２０ｄの深さは、突起部４０ｄの高さ寸法以上になっている。つまり、保持リング４０の形状は、シール部材２０の張り出し部２０ｂの形状に沿うように形成されている。このように構成されることにより、シール部材２０は、保持リング４０の凹部４０ｂに嵌め込まれた状態から容易に脱落することがない。組み立て時において、シール部材２０が保持リング４０から脱落しにくいため、作業も容易になるという利点がある。
【００３４】
図５に示されるように、被支持部２０ｃは、内ケース３３の下側の面と保持リング４０の内側リブ４０ｃと間に位置する。実施の形態１において、内ケース３３の下側の面と保持リング４０の内側リブ４０ｃと間は距離Ｌに形成されており、距離Ｌと被支持部２０ｃの厚み寸法Ｈ１との関係は、Ｌ＝Ｈ１となっている。また、張り出し部２０ｂの炊飯器１００における上下方向の寸法Ｈ２は、Ｌ＜Ｈ２となっている。このように構成されることにより、張り出し部２０ｂは、内ケース３３と保持リング４０の凹部４０ｂとにより形成される空間から内釜収容部１５の内側方向に引き出されることがない。内釜６を内釜収容部１５に挿入するとき、又は内釜６を内釜収容部１５から引き出すときに、シール部材２０のリップ部２０ａが内釜６の側壁外面との摺動により上又は下方向に引っ張られる。このようにリップ部２０ａを引っ張る力が加わっても、シール部材２０は、内ケース３３と保持リング４０との間から外れにくくなっている。
【００３５】
なお、被支持部２０ｃの厚み寸法Ｈ１は、炊飯器１００内に組み込まれる前の状態においては、Ｌ＜Ｈ１となっていても良い。シール部材２０が弾性を有する材料で構成されていれば、シール部材２０が保持リング４０の内側リブ４０ｃと内ケース３３との間に挟みこまれても材料の弾性により変形し、Ｌ＝Ｈ１とすることができる。厚み寸法Ｈ１が炊飯器１００内に組み込まれる前の状態においてＬ＜Ｈ１となっていることにより、被支持部２０ｃは、内ケース３３と保持リング４０の内側リブ４０ｃとの間で所定の力で挟みこむことができる。この構成により、シール部材２０は、内釜収容部１５の内側側壁部に強固に固定され、内釜６の挿抜の際の脱落、変形を抑えることができる。
【００３６】
図５に示されるように、リップ部２０ａの上面２０ａａは、内釜６と面接触するので、内釜６を本体１の内釜収容部１５に収容したときにシールされる。これにより、内釜収容部１５において内釜６の下部を加熱した熱がシール部材２０よりも上方に逃げることを抑制する。一方、内釜収容部１５において内釜６のフランジ６ａを含む側壁上部６ｂは、シール部材２０よりも上方で外気に触れて冷却され易い。
【００３７】
リップ部２０ａを有するシール部材２０は、ブラスト加工が施された成形型で成形される。リップ部２０ａの上面２０ａａは、表面に微細な凹凸形状を有する。リップ部２０ａの上面２０ａａの凹凸形状は、内釜６の外面に施されている凹凸形状と合わせて、内釜６を内釜収容部１５に収容するときのリップ部２０ａと内釜６との摺動抵抗を低減する。なお、リップ部２０ａの上面２０ａａに施された凹凸形状は、シール部材２０全体に施されていても良い。
【００３８】
図９に示されるように、シール部材２０のリップ部２０ａの先端付近の下面には、複数の突起２０ｅが形成される。複数の突起２０ｅは、リング状のリップ部２０ａに均一な間隔を空けて配置されている。内釜収容部１５に収容された内釜６を持ち上げる際に、リップ部２０ａがひっくり返って下面が内釜６に接触する状態になる。このとき、リップ部２０ａの下面の複数の突起２０ｅが内釜６に対して点接触の状態になり、摺動抵抗が低減され、内釜６を内釜収容部１５から容易に取り外すことができる。
【００３９】
＜シール部材２０の作用＞
次に、上記のような構成の炊飯器１００により炊飯する場合の作用について説明する。
水と米とを入れた内釜６を炊飯器１００の本体１内に収容して蓋体３を閉じ、操作部２２に設けた炊飯スイッチをＯＮすると、電磁誘導コイル１６の作用によって内釜６が加熱される。内釜６内の水が沸騰すると、おねばを含んだ蒸気が発生する。このとき、内釜６の内圧が上昇しているため、おねば分離ケース１０の開閉弁１２は、押し上げられて閉弁する。このため、おねばを含む蒸気は、蒸気孔から案内筒１１を通って、おねば分離ケース１０内に導かれる。おねば分離ケース１０は、炊飯中に発生する蒸気とおねばとを分離し、蒸気を蒸気排出孔１３に導く。そして、加熱が停止して内釜６の内圧が低下すると、開閉弁１２が自重及びおねばの重量によって下降して開弁し、おねばを内釜６に戻す。
【００４０】
一方、内釜６の側壁の外側には、シール部材２０のリップ部２０ａが当接し、内釜収容部１５に収容された状態で本体１の内釜収容部１５から突出した内釜６の側壁上部６ｂの外側が本体１と蓋体３の間の隙間３１から流入する外気に触れる。また、シール部材２０によって内釜６の下方で発生した熱が上方へ逃げることを抑制する。このため、シール部材２０と当接する箇所より上部の内釜６の側壁を外気によって冷却することができ、加熱中に内釜６内の径方向外側で湧き上がったおねばの泡が内釜６の上部の側壁内側に接触すると、おねばの泡が冷却され、内釜６の下部に戻されるため、おねばの吹きこぼれを抑制することができる。したがって、投入電力または投入電力の継続時間が大きくても、おねばの吹きこぼれが抑制され、おいしいご飯を炊くことができる。
【００４１】
実施の形態１においては、シール部材２０は、保持リング４０に組み付けられていることにより形状をリング状に保持することができるため、炊飯器１００の組立の際に、シール部材２０を所定の位置に組み込むのが容易になる。また、保持リング４０と内ケース３３とによりシール部材２０を挟み込む構造であり、かつ、シール部材２０に上下方向寸法の大きい張り出し部２０ｂを設けることにより、炊飯器１００の使用時に内釜６を挿抜してもシール部材２０の脱落が生じにくくなっている。以上の構造により、シール部材２０は、より弾性変形しやすい材料を使用することができるため、シール部材２０と内釜６の側壁との間の接触をより良くすることができ、シール性をより高くすることも可能になる。
【００４２】
実施の形態２．
実施の形態２では、シール部材２０Ａのリップ部２０ａの形状が上記実施の形態と異なる。その他の構成は、実施の形態１と同様であるので、その特徴部分のみ説明する。
【００４３】
図１０は、本発明の実施の形態２に係るシール部材２０Ａを示す斜視図である。
実施の形態２に係るシール部材２０Ａには、リップ部２０ａに複数のスリット２０ｆが形成されている。複数のスリット２０ｆは、リング状のリップ部２０ａに均一の間隔を空けて等配される。
【００４４】
これにより、内釜６とリップ部２０ａとの摺動抵抗が低減され、内釜収容部１５に収容された内釜６が取り出し易くなる。
【００４５】
実施の形態３．
実施の形態３では、シール部材２０Ｂのリップ部２０ａ１、２０ａ２の形状が上記実施の形態と異なる。その他の構成は、実施の形態１と同様であるので、その特徴部分のみ説明する。
【００４６】
図１１は、本発明の実施の形態３に係るシール部材２０Ｂを示す斜視図である。
実施の形態３に係るシール部材２０Ｂには、スリット２０ｆが形成されて分断されたリップ部２０ａ１が隣り合う分断されたリップ部２０ａ２と上下方向にずれて配置されている。すなわち、分断されたリップ部２０ａ１、２０ａ２は、上段リップ部２０ａ１と下段リップ部２０ａ２とから構成される。
【００４７】
これにより、内釜６の出し入れ作業時に、上下方向にずれて配置されると共に分断されたリップ部２０ａ１、２０ａ２で内釜６を支持して内釜６が傾くことを抑制する。このため、ユーザは内釜６の出し入れ作業がし易くなる。また、内釜６とリップ部２０ａ１、２０ａ２との摺動抵抗が低減され、内釜収容部１５に収容された内釜６が取り出し易くなる。
【００４８】
＜効果＞
（１）以上に説明した実施の形態１〜３によれば、炊飯器１００は、内釜６を収容する内釜収容部１５及び内釜を加熱する加熱手段を有する本体１と、本体１にヒンジ２により結合されて本体１の内釜収容部１５の上部を覆う蓋体３と、を備える。内釜６が本体１に収容された状態で、本体１から内釜６の側壁外面に当接するリップ部２０ａを有するシール部材２０と、シール部材２０を保持する保持リング４０と、本体１の一部を構成する内ケース３３と、を備える。蓋体３は、閉じられた状態で、本体１との間に隙間３１が形成される。内ケース３３は、内釜収容部１５の開口部を構成する。保持リング４０は、内ケース３３の下部に位置し、内釜収容部１５の内部において上下方向の位置が保持されている。シール部材２０は、保持リング４０と内ケース３３との間で保持される。
このように構成されることにより、本体１に収容された状態で、内釜６の側壁上部６ｂの外側が外気に触れる。また、シール部材２０によって内釜６の下方で発生した熱が上方へ逃げることを抑制する。このため、シール部材２０と当接する箇所より上部の内釜６の側壁を外気によって冷却することができ、加熱中に湧き上がったおねばの泡が内釜６の上部の側壁内側に接触すると、おねばの泡が冷却され、内釜６の下部に戻されるため、おねばの吹きこぼれを抑制することができる。したがって、投入電力が大きい場合または投入電力の継続時間が長い場合であっても、おねばの吹きこぼれが抑制され、おいしいご飯を炊くことができる。
【００４９】
また、おいしいご飯を炊き上げるために投入電力を大きくした場合であっても、おねば分離ケース１０に長く流路を確保する必要がない。このため、製品本体に対してのおねば分離ケース１０が占める体積の割合が小さくて済み、デザイン的制約が小さくなる。
【００５０】
また、シール部材２０は、保持リング４０に組み付けられていることにより形状をリング状に保持することができるため、炊飯器１００の組立の際に、シール部材２０を所定の位置に組み込むのが容易になる。さらに、保持リング４０と内ケース３３とによりシール部材２０を挟み込む構造であり、かつ、シール部材２０に上下方向寸法の大きい張り出し部２０ｂを設けることにより、炊飯器１００の使用時に内釜６を挿抜してもシール部材２０が所定の位置から脱落しにくくなっている。これにより、シール部材２０は、より弾性変形しやすい材料を使用することができるため、シール部材２０が内釜６の側壁により接触しやすくすることができ、シール部材２０より下部の、内釜６の側壁と内釜収容部１５の内側側壁部とにより形成される空間のシール性をより高くすることも可能になる。
【００５１】
（２）実施の形態１〜３によれば、シール部材２０は、リップ部２０ａから外側に張り出し、かつ保持リング４０に嵌め込まれる張り出し部２０ｂと、リップ部２０ａと張り出し部２０ｂとの間をつなぐ被支持部２０ｃと、を備える。保持リング４０は、保持リング４０の全周の上面側に張り出し部２０ｂが収容される凹部４０ｂと、凹部４０ｂの内側の壁を構成する内側リブ４０ｃと、を備える。内側リブ４０ｃと内ケース３３とは、本体１における上下方向に距離Ｌを持って配置される。距離Ｌは、張り出し部２０ｂの上下方向の寸法Ｈ２よりも小さく、被支持部２０ｃの上下方向の寸法Ｈ１に形成される。
このように構成されることにより、上記（１）に記載された効果に加えて以下の効果を得ることができる。リップ部２０ａと張り出し部２０ｂとの間に位置する被支持部２０ｃは、内ケース３３と保持リング４０の内側リブ４０ｃとの間に挟まれる。そして、内ケース３３と保持リング４０の内側リブ４０ｃとの距離Ｌが張り出し部２０ｂの上下方向の寸法Ｈ２よりも小さいため、張り出し部２０ｂに対し内釜収容部１５の内側方向に引き出される荷重がかかっても、張り出し部２０ｂはその距離Ｌを通過することができない。このため、シール部材２０は、組み付けられた所定の位置から脱落することがない。よって、内釜６の挿抜が繰り返されても、シール部材２０は、シール部材２０より下部の、内釜６の側壁と内釜収容部１５の内側側壁部とにより形成される空間のシール性を維持することができる。
【００５２】
（３）実施の形態１〜３によれば、リップ部２０ａは、張り出し部２０ｂよりも薄い板状で、内釜収容部１５の内側に向かって延びており、内釜収容部１５の開口部から内釜６の挿入方向に傾斜し、内径が内釜６の側壁外面の外径より小さい。
このように構成されることにより、上記（１）及び（２）に記載された効果に加えて以下の効果を得ることができる。シール部材２０は、リップ部２０ａ、２０ａ１、２０ａ２の上面が本体１の内釜収容部１５に収容された内釜６に接触し、内釜６の下方で発生した熱が上方へ逃げない効果を向上させる。また、リップ部２０ａ、２０ａ１、２０ａ２が下方に垂れ下がり、内釜６を本体１の内釜収容部１５に収容するときにリップ部２０ａ、２０ａ１、２０ａ２が邪魔にならない。
【００５３】
（４）実施の形態１〜３によれば、保持リング４０の凹部４０ｂは、内部の上方向に向けて延びる突起部４０ｄを備える。シール部材２０の張り出し部２０ｂは、下面に開口する溝部２０ｄを備える。突起部４０ｄは、溝部２０ｄに挿入される。
このように構成されることにより、上記（１）〜（３）に記載された効果に加えて以下の効果を得ることができる。シール部材２０は、保持リング４０の凹部４０ｂに嵌め込まれるが、凹部４０ｂの底面に突起部４０ｄがあり、シール部材２０の溝部２０ｄに挿入されることによりシール部材２０と保持リング４０との接触面積が増える。よって、シール部材２０は、保持リング４０に嵌め込まれた状態から脱落しにくくなるため、炊飯器１００の組み立て時においても容易に外れにくくなり、組み立て作業が容易になる。また、炊飯器１００の使用時においては、内釜６の挿抜により張り出し部２０ｂに対し内釜収容部１５の内側方向に引き出される荷重がかかっても、張り出し部２０ｂが保持リング４０の凹部から外れにくく、シール部材２０は組み立てられた状態を維持することができる。
【００５４】
（５）実施の形態１〜３によれば、内釜収容部１５は、加熱装置で発生した熱を内釜収容部１５の内側にむけて放熱する放熱板３４を備える。放熱板３４は、内釜収容部１５の内部側壁部を構成し、保持リング４０の下部に設けられている。
このように構成されることにより、上記（１）〜（４）に記載された効果に加えて以下の効果を得ることができる。保持リング４０は、放熱板３４の上側端部により下側から支持されるため、保持リング４０及びシール部材２０の上下方向の位置を保持することができる。
【００５５】
（６）実施の形態１〜３によれば、内釜６の側壁外面は、内釜収容部１５より上方へ突出している。
（７）また、内釜６は、最上部に径方向外向きに延出されるフランジ６ａを有する。本体は、内釜収容部１５の縁にて上方に突出してフランジ６ａを支持する複数の支持体１９を有する。
これらのように構成されることにより、上記（１）〜（５）に記載された効果に加えて以下の効果を得ることができる。内釜６は、本体１に収容された状態で、側壁上部６ｂを本体１の内釜収容部１５から突出させることができる。このため、内釜６の側壁上部６ｂは、複数の支持体１９に支持されていない部位にて、本体１の内釜収容部１５から突出して側壁上部６ｂの外側を露出し、蓋体３の閉時に、内釜６の側壁上部６ｂの外側が本体１と蓋体３との間の隙間３１から流入する外気に触れる。
【００５６】
（８）実施の形態１〜３によれば、内釜６の最大炊飯量時の最大水位線２１が、内釜６の側壁外面に当接するシール部材２０よりも下方に位置する。
このように構成されることにより、上記（１）〜（７）に記載された効果に加えて以下の効果を得ることができる。内釜６の最大炊飯量時の最大水位線２１が、内釜６の外面に当接するシール部材２０よりも下方に位置する。この構成によると、シール部材２０によって内釜６の下方で発生した熱が上方へ逃げない状態で水と米とを加熱することができる。
【００５７】
（９）実施の形態１〜３によれば、前記リップ部の先端付近の下面には、複数の突起２０ｅが形成されている。
このように構成されることにより、上記（１）〜（８）に記載された効果に加えて以下の効果を得ることができる。リップ部２０ａ、２０ａ１、２０ａ２の先端付近の下面には、複数の突起２０ｅが形成された。この構成によると、内釜６を取り出すときにリップ部２０ａ、２０ａ１、２０ａ２がひっくり返り、複数の突起２０ｅが内釜６と接触する。このため、リップ部２０ａ、２０ａ１、２０ａ２と内釜６は点接触する状態となり、摺動抵抗が低減されて取り出し易い。また、リップ部２０ａ、２０ａ１、２０ａ２の上面２０ａａには突起２０ｅが無いので、内釜６を本体１の内釜収容部１５に収容したときに、シールが確実に行われ、熱が上方へ逃げ難い。
【００５８】
（１０）実施の形態１〜３によれば、リップ部２０ａは、表面に凹凸を有する。
このように構成されることにより、上記（１）〜（９）に記載された効果に加えて、内釜６とリップ部２０ａ、２０ａ１、２０ａ２との間の摺動抵抗が低減され、内釜６の収容が容易になるという効果が得られる。
【００５９】
（１１）実施の形態１〜３によれば、内釜６の外面は、表面に凹凸を有する。
このように構成されることにより、上記（１）〜（１０）に記載された効果に加えて、内釜６とリップ部２０ａ、２０ａ１、２０ａ２との間の摺動抵抗が低減され、内釜６の収容が容易になる。
【００６０】
（１２）実施の形態２によれば、リップ部２０ａには、複数のスリット２０ｆが形成されている。
このように構成されることにより、上記（１）〜（１１）に記載された効果に加えて、リップ部２０ａ１、２０ａ２が変形し易くなり、内釜６の出し入れ作業が容易になる。
【００６１】
（１３）実施の形態３によれば、スリット２０ｆが形成されて分断されたリップ部２０ａ１、２０ａ２は、隣り合う分断された前記リップ部と上下方向にずれて配置されている。
このように構成されることにより、上記（１）〜（１２）に記載された効果に加えて、スリット２０ｆが形成されて分断されたリップ部２０ａ１、２０ａ２は、隣り合う分断されたリップ部２０ａ１、２０ａ２と上下方向にずれて配置された。この構成によると、内釜６の出し入れ作業時に上下方向にずれて配置されると共に分断されたリップ部２０ａ１、２０ａ２で内釜６を支持して内釜６が傾くことを抑制する。このため、ユーザは内釜６の出し入れ作業がし易くなる。
【００６２】
なお、上記の各実施の形態の構成を適宜組み合わせることも当初から予定している。また、今回開示された各実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００６３】
１  本体、２  ヒンジ、３  蓋体、４  ラッチ解除ボタン、５  内蓋、６  内釜、６ａ  フランジ、６ｂ  側壁上部、７  パッキン、８  固定枠、９  ヒータ、１０  おねば分離ケース、１１  案内筒、１２  開閉弁、１３  蒸気排出孔、１４  温度センサ、１５  内釜収容部、１６  電磁誘導コイル、１７  貫通穴、１８  内釜温度センサ、１９  支持体、２０  シール部材、２０Ａ  シール部材、２０Ｂ  シール部材、２０ａ  リップ部、２０ａ１  上段リップ部、２０ａ２  下段リップ部、２０ａａ  上面、２０ｂ  張り出し部、２０ｃ  被支持部、２０ｄ  溝部、２０ｅ  突起、２０ｆ  スリット、２１  最大水位線、２２  操作部、３０  内部空間、３１  隙間、３２  外部空間、３３  内ケース、３３ａ  円筒部、３４  放熱板、４０  保持リング、４０ａ  係止突起、４０ｂ  凹部、４０ｃ  内側リブ、４０ｄ  突起部、４０ｅ  外側リブ、１００  炊飯器、Ｈ１  寸法、Ｈ２  寸法、Ｌ  距離。
【図１】
2017145414.tif 000003
【図２】
2017145414.tif 000004
【図３】
2017145414.tif 000005
【図４】
2017145414.tif 000006
【図５】
2017145414.tif 000007
【図６】
2017145414.tif 000008
【図７】
2017145414.tif 000009
【図８】
2017145414.tif 000010
【図９】
2017145414.tif 000011
【図１０】
2017145414.tif 000012
【図１１】
2017145414.tif 000013
【国際調査報告】
2017145414.tif 000014
2017145414.tif 000015
2017145414.tif 000016
2017145414.tif 000017